(57)【要約】【課題】本発明は従来のものと比べ、マスカラ液の付着度合いとカールアップ度合いをコントロールすることができる等、より使い勝手の良いマスカラブラシを提供すること。【解決手段】ブラシ毛を芯部材に放射状に取り付けることにより形成されるブラシ部分を軸部に保持せしめたマスカラブラシにおいて、芯部材を三つの円弧で形成される曲線状とすることにより、ブラシ部分を大略Ｗ字型に形成せしめてなるマスカラブラシ。【選択図】　図１
2004016328.tif 000002
【特許請求の範囲】
【請求項１】
ブラシ毛を芯部材に放射状に取り付けることにより形成されるブラシ部分を軸部に保持せしめたマスカラブラシにおいて、芯部材を三つの円弧で形成される曲線状とすることにより、ブラシ部分を大略Ｗ字型に形成せしめてなるマスカラブラシ。
【請求項２】
三つの円弧が、同じ半径の円弧である請求項第１項記載のマスカラブラシ。
【請求項３】
三つの円弧が、同一平面上に配置されたものである請求項第１項または第２項記載のマスカラブラシ。
【請求項４】
軸部に対する芯部材の取り付け部と、芯部材の先端部が、軸部の中心線上にある請求項第１項ないし第３項の何れかの項記載のマスカラブラシ。
【請求項５】
軸部上に、マスカラブラシの使用位置を示すための目印が設けられたものである請求項第１項ないし第４項の何れかの項記載のマスカラブラシ。
【発明の詳細な説明】
【０００１】
【発明の属する技術分野】
本発明は、マスカラブラシに関し、更に詳細には、ブラシ部分の形状を調整したことにより、マスカラ液の付着度合いや、カールアップ度合いをコントロールすることのできるマスカラブラシに関する。
【０００２】
【従来の技術】
マスカラ液を睫毛に塗布するために、マスカラブラシが使用されている。このマスカラブラシとしては、円筒状や、円錐の先端部を除いた形状のブラシが多く使用されているが、最近では、これら円筒状のマスカラブラシの一部を切り欠いた形状（特開平８−３３５１８号、特開平９−２３８７４０号等）や、中央部を窪ませた形状のもの（特開平１０−８０３２２号等）が提供されている。また、これ以外の形状のものとしては、ブラシの中心軸を円弧の形状とした、曲がった形状のブラシも知られている（実開昭５８−８８９１２号、実開平５−１４１１号、特開２００１−２８６３４０号等）。
【０００３】
しかしながら、上記のようなマスカラブラシでも、満足のゆく使い勝手のものであるとはいえず、より使い勝手の良いマスカラブラシが求められている。
【０００４】
【発明が解決しようとする課題】
従って、本発明は従来のものと比べ、より使い勝手の良いマスカラブラシ、特に、マスカラ液の付着度合いとカールアップ度合いをコントロールすることのできるマスカラブラシの提供をその課題とするものである。
【０００５】
【課題を解決するための手段】
本発明者は、マスカラブラシの形状に関し、鋭意検討を行っていたところ、マスカラブラシのブラシ毛を取り付ける芯部材を一定の曲線状とすることにより、マスカラブラシの部分ごとに違った使い方をすることができ、今までにない使用性を付与できることを見出し、本発明を完成した。
【０００６】
すなわち本発明は、ブラシ毛を芯部材に放射状に取り付けることにより形成されるブラシ部分を軸部に保持せしめたマスカラブラシにおいて、芯部材を３つの円弧で形成される曲線状とすることにより、ブラシ部分を大略Ｗ字型に形成せしめてなるマスカラブラシである。
【０００７】
【発明の実施の形態】
以下、本発明のマスカラブラシの実施態様を示す図面と共に説明を行う。
【０００８】
図１は、マスカラブラシの外観を、図２は、芯部材の円弧の大きさ及びその位置をそれぞれ示す図面である。図中、１はマスカラブラシ、２はブラシ毛、３は芯部材、４はブラシ部分、５は軸部、６は芯部材先端部をそれぞれ示す。
【０００９】
図１に示すマスカラブラシ１は、ブラシ毛２を芯部材３に放射状に取り付けることによりブラシ部分４を形成し、これを軸部５に保持せしめることにより作成される。使用されるブラシ毛２としては、この種のブラシに使用されるものであれば、特に制約なく使用できる。例えば、天然繊維、合成樹脂繊維等を使用でき、中実繊維でも中空繊維でも良い。また、この繊維は、断面が円形、だ円形、多角形、凸部や凹部を有する形状等、何れの形状であっても良い。更に、直毛であっても、曲毛であっても良い。一方、このブラシ毛２を取り付ける芯部材３としては、例えば金属製ワイヤやプラスチック材料が使用でき、例えば金属性ワイヤを使用する場合は、折り返して２本とした後、これを捻り、その隙間にブラシ毛を植毛しても良いし、また、プラスチック材料を使用する場合は、これとブラシ毛を埋め込み成型しても良いし、また、挟み込むような形態としても良い。
【００１０】
本発明における特徴的な点は、上記のブラシ毛２を芯部材３に取り付けて形成されるブラシ部分４が、大略Ｗ型（逆に見た場合はＭ型）といわれる形状になっていることである。ブラシ部分４をこのような形状とするためには、ブラシ部分の中心となる芯部材を３つの円弧で形成される曲線状とすることが必要である。
【００１１】
例えば、図２を例に取ると、まず、ブラシ毛２を取り付けた芯部材３をほぼ同じ長さに４等分し、軸部５に対する芯部材３の取り付け部から順にＳ１、Ｓ２、Ｓ３、Ｓ４（芯部材先端部）する。そして、Ｓ１部分を中心に円弧Ｒ１で曲げる。次いで、Ｓ２部分を中心に円弧Ｒ２で、円弧Ｒ１と逆方向に曲げる。更に、Ｓ３部分を中心に、円弧Ｒ３で、円弧Ｒ２と逆方向に曲げる。このようにすることにより、三つの円弧で、大略Ｗ型といいうる形状のブラシ部分４が形成される。
【００１２】
上記図２において、円弧Ｒ１ないしＲ３は、同一平面上に配置された同じ大きさの円弧であるが、必要に応じて円弧の大きさを変更することもできるし、同一平面上に配置されていなくても良い。また、円弧の位置も、芯部材３を等分した位置としているが、これには限らない。また、ブラシ部分４の断面形状自体は、径がφ１の円形となっているが、これのみに限らず、楕円形等としても良い。
【００１３】
本発明のマスカラブラシでは、上記ブラシ部分４を軸部５に着装し、保持させることにより作成される。この着装の手段としては、公知の方法が使用され、軸部５の中心に設けた穴の中に芯部材３の末端部を挿入し、接着剤等で接着する方法や、軸部５の材料として熱硬化性プラスチックを用い、芯部材３の末端部と共に成型、固着する方法等を使用することができる。なお、ブラシ部分４を軸部５に着装するに当たっては、軸部５に対するブラシ部分４の取り付け部と、芯部材３の先端部６が、軸部５の中心線（Ｘ）上にあるようにしておくことが、収納上も、また、使用上からも好ましい。
【００１４】
上記した、本発明のマスカラブラシは、単独で用いても良いが、例えば図３に示すように通常のマスカラブラシ７と組み合わせ、胴体部８に取り付けて用いても良い。また、後記するように、本発明のマスカラブラシは、使用する位置により化粧効果が大きく異なるので、正しい位置で使用できるような目印９、例えば、使用時に指が当たる位置に小突起や小孔を設けても良い。更に、目立つ位置にＭ型、Ｗ型といった表記（図示せず）を行っても良い。
【００１５】
以上のようにして作成される本発明マスカラブラシは、睫毛に対し、マスカラブラシを、中央が窪み、両側が盛り上がっている状態（以下、「Ｍ型使用」という）と、この状態から軸部５を１８０度回転させた、中央が盛り上がり、両側が窪んでいる状態（以下、「Ｗ型使用」という）で使用することができる。
【００１６】
まず、Ｍ型使用では、使用に当たり、ブラシ毛２が密な窪み部分にマスカラ液が多く付着し、両端のブラシ毛２が疎な盛り上がり部分にはマスカラ液が少ししか付着しないため、窪み部分を目元の中央部分（黒目部分の上）の睫毛に当てることにより、睫毛中央にはマスカラ液が多く塗布し、両側には適度な量のマスカラ液を塗布することが可能となる。すなわち、睫毛の中央にマスカラ液をたっぷり、両サイドは適度にというようにマスカラ液の付着度合いをコントロールすることができる。
【００１７】
一方、Ｗ型使用では、中央の盛り上がった部分が睫毛の中央部分に強く接触し、他の部分ではほとんど接触しないので、この部分を特にカールアップさせることが可能となる。すなわち、睫毛の中央を高く押し上げ、両サイドを適度にカールアップさせるというようにカールアップの状態を適度にコントロールすることができるのである。
【００１８】
このように、１本のマスカラブラシで、Ｍ型使用およびＷ型使用の２通りの使用ができ、これらを組み合わせることにより、目の中央部分に位置する睫毛にマスカラ液をより多く付着させ、かつ、その部分をよりしっかりとカールアップさせることができる。
【００１９】
【作用】
従来のマスカラブラシは、睫毛の一本一本に均一にマスカラ液を付着させることを目的としたものであったが、本発明は、このような考え方を離れ、睫毛の特に目立つ部分に多めのマスカラ液を塗布し、かつ部分的にカールアップしようというものである。そして、このような目的は、ブラシ部分を三つの円弧に沿って曲げ、マスカラ液を付着させるときのＭ型使用および睫毛をカールアップする際のＷ型使用により達成されたのである。
【００２０】
【発明の効果】
以上説明したように、本発明のマスカラブラシは、従来のマスカラブラシと異なり、特に目立つ睫毛中央部のマスカラ処理を行うことができるものであるため、今までにない新しいタイプの、使い勝手の良いマスカラブラシとして広く利用することができる。
【図面の簡単な説明】
【図１】本発明マスカラブラシの外観を示す図面
【図２】本発明マスカラブラシの芯部材の円弧の大きさ及びその位置を示す図面
【図３】通常のマスカラブラシと組み合わせた本発明マスカラブラシを示す図面
【符号の説明】
１　…　…　マスカラブラシ
２　…　…　ブラシ毛
３　…　…　芯部材
４　…　…　ブラシ部分
５　…　…　軸部
６　…　…　芯部材先端部
７　…　…　通常のマスカラブラシ
８　…　…　胴体部
９　…　…　目印
以　　上
【図１】
2004016328.tif 000003
【図２】
2004016328.tif 000004
【図３】
2004016328.tif 000005